(57)【要約】      （修正有）【課題】カプセル型内容物の排出速度が向上した包装容器を提供する。【解決手段】内部にカプセル型内容物が収容される内容物容器１０と、前記内容物容器の内部中央に固定結合される排出案内棒２０と、前記内容物容器に回転可能に結合し、排出口が備えられた回転キャップ３０と、前記排出案内棒の外側に設置され、前記回転キャップの下側に固定結合され、下側に入口部が備えられた回転円筒４０とを含んでなり、前記排出案内棒の外周縁には、カプセル型内容物が移動する多数の垂直移動通路２２が設けられ、前記回転円筒の内周縁には、カプセル型内容物を上部へ押し上げるねじ山４２が形成されることを特徴とする。【選択図】図６
2018058650.tif 000002
【特許請求の範囲】
【請求項１】
内部にカプセル型内容物が収容される内容物容器と、
前記内容物容器の内部中央に固定結合される排出案内棒と、
前記内容物容器に回転可能に結合し、排出口が備えられた回転キャップと、
前記排出案内棒の外側に設置され、前記回転キャップの下側に固定結合され、下側に入口部が備えられた回転円筒とを含んでなり、
前記排出案内棒の外周縁には、カプセル型内容物が移動される多数の垂直移動通路が設けられ、前記回転円筒の内周縁には、カプセル型内容物を上部へ押し上げるねじ山が形成されることを特徴とする、カプセル型内容物の排出速度が向上した包装容器。
【請求項２】
前記排出案内棒の外周縁には多数の羽根が設けられ、前記羽根同士の間には垂直移動通路が設けられることを特徴とする、請求項１に記載のカプセル型内容物の排出速度が向上した包装容器。
【請求項３】
前記排出案内棒の垂直移動通路の内側は曲面形状に形成されることを特徴とする、 請求項１に記載のカプセル型内容物の排出速度が向上した包装容器。
【請求項４】
前記排出案内棒の垂直移動通路は１個〜８個備えられることを特徴とする、請求項１に記載のカプセル型内容物の排出速度が向上した包装容器。
【請求項５】
前記排出案内棒の垂直移動通路の下部には流入傾斜部が設けられることを特徴とする、 請求項１に記載のカプセル型内容物の排出速度が向上した包装容器。
【請求項６】
前記回転キャップの中央には、一側に排出口を有する排出カバーが設けられることを特徴とする、請求項１に記載のカプセル型内容物の排出速度が向上した包装容器。
【請求項７】
前記回転キャップを１周回転させると、内容物容器の内部に収容されたカプセル型内容物が、排出案内棒の外周縁に設けられた垂直移動通路の数だけ前記垂直移動通路に流入して回転円筒のねじ山に沿って順次上部へ移動して排出されることを特徴とする、請求項１に記載のカプセル型内容物の排出速度が向上した包装容器。
【発明の詳細な説明】
【技術分野】
【０００１】
本発明は、カプセル型内容物の排出速度が向上した包装容器に係り、さらに詳しくは、内容物容器の内部中央に排出案内棒を固設するが、前記排出案内棒の外周縁に多数の垂直移動通路を設け、前記内容物容器の上側に回転キャップを回転可能に結合し、前記回転キャップの中央下側に回転円筒を結合して排出案内棒の外側に設置するが、前記回転円筒の内周縁にねじ山を形成し、下部一側に入口部を設けることにより、前記回転キャップを回転させると回転円筒が一緒に回転しながら、内容物容器の内部に収容されたカプセル型内容物が回転円筒の入口部を介してそれぞれの垂直移動通路に流入した後、回転円筒のねじ山によって垂直移動通路の上側へ移動して垂直移動通路一つにカプセル型内容物が一つずつ容易に排出されるようにする、カプセル型内容物の排出速度が向上した包装容器に関する。
【背景技術】
【０００２】
包装容器（ｐａｃｋｉｎｇ  ｖｅｓｓｅｌ）は、内部に内容物を収容して保管または流通の際に前記内容物の価値を高め、内容物の状態を保護するために使用されるもので、使用目的や収容される内容物の種類によって様々な形態を有する。
【０００３】
前記包装容器は、化粧品、医薬品、食品、洗剤などの様々な種類の内容物が収容されるが、一般に、内容物が貯蔵される容器本体と、前記容器本体を開閉する容器蓋とから構成される。
【０００４】
前記包装容器を使用する場合には、容器本体から容器蓋を開放し、前記容器本体を傾けて内容物を引き出したり、ユーザーが手で直接内容物を取り出したりして使用する。
【０００５】
ところが、前述のように容器本体を傾けて内容物を引き出す場合には、一度にあまり多くの量の内容物が吐き出される一方、ユーザーが手で直接内容物を取り出す場合には、内容物が容易に取れないため不便であるうえ、手から汚染物質が内容物にくっ付いて汚染してしまう問題があった。
【０００６】
また、前記包装容器の内部に貯蔵された内容物が硬度の低いカプセル型化粧品である場合、ユーザーが前記カプセル型化粧品を手で取る途中で潰されてしまう問題があった。
【０００７】
前述したような問題を解決するために、図１に示すように、韓国登録実用新案第２０−０３３４６０１号で包装容器を開示しているが、前記従来技術は、上端部の入口が開放され且つ内容物の収容される内部空間が設けられた容器本体と、前記容器本体の入口に結合し且つ上面に前記内容物の出入りする取り出し孔が設けられた取り出しキャップとから構成される。
【０００８】
前記従来の包装容器は、容器本体の入口より小さく且つ内容物よりは相対的に大きい取り出し孔を設けることにより、内容物が少量ずつ取り出されるようにして、一度に多くの量の内容物が取り出されることを防止する。
【０００９】
しかし、前記従来技術は、容器本体を逆さまにして振りながら取り出し孔から内容物を排出させる構造であるため、前記容器本体から内容物を排出させるとき、場合に応じて内容物が一つ以上排出されるという問題があった。
【００１０】
前述したような問題を解決するために、図２に示すように、韓国登録特許第１０−１３４２８４３号で食品または薬品用ディスペンサーを開示しているが、前記従来技術は、内容物を一つずつのせて吐き出す吐出柱が備えられた本体と、前記本体の上側で昇降し、吐出孔が設けられた内蓋と、前記吐出柱に嵌められて上下移動が可能であり、のせられた内容物を中央へ移動させて吐出柱の上端安着溝にのせられるようにする漏斗形のリフトと、前記吐出柱に嵌められ、前記リフトにのせられた内容物を上方に持ち上げるように弾性力を提供するスプリングとから構成される。
【００１１】
前記従来技術は、ユーザーが外蓋を押圧すると、リフトのロック装置が解除されて前記リフトがスプリングによって上部へ移動しながら内容物を押し上げ、再び外蓋を押圧すると、前記リフトと外蓋が下部へ移動しながら吐出柱の安着溝に安着された内容物が吐出孔から吐き出されるのである。
【００１２】
しかし、前記従来技術は、内容物が硬度の低いカプセル型化粧品である場合、吐き出し過程で前記カプセル型化粧品がリフトと外蓋の圧迫によって押し潰されてしまうという問題がある。
【００１３】
また、前記従来技術は、内容物を吐き出させるために外蓋を２回押圧してリフトと外蓋を上、下に移動させた後、栓を開いて、吐き出された内容物を取って使用しなければならないという不便さがある。
【００１４】
前述したような問題点を解決するために、本出願人は、図３に示すように、韓国特許登録番号第１０−１６０２１６６号でカプセル型内容物の容器を出願して登録したことがある。
【００１５】
前記従来技術は、内容物容器の内部中央に排出案内棒を固定結合し、前記内容物容器の上側に回転キャップを回転可能に結合し、前記回転キャップの中央下側に回転円筒を結合して排出案内棒の外側に設置するが、前記回転円筒の一側に入口部を設け、内周縁にねじ山を形成して前記回転キャップを回転させると、回転円筒が一緒に回転しながら、内容物容器の内部に収容されたカプセル型内容物が回転円筒の入口部に投入された後、回転円筒のねじ山と排出案内棒の垂直移動通路によって一つずつ上部へ移動するのである。
【００１６】
ところが、前記従来技術は、カプセル型内容物が回転円筒のねじ山と排出案内棒の垂直移動通路に沿って回りながら一つずつ上部へ移動するので、カプセル型内容物の排出速度が低下し、前記カプセル型内容物を最初に排出させるためには回転キャップを何度も回転させなければならないという不便さがあった。
【００１７】
また、前記従来技術は、カプセル型内容物が回転円筒の入口部に投入されるとき、内容物容器の内部に収容されたカプセル型内容物の全体荷重によってカプセル型内容物が押圧されながら、前記入口部に多数のカプセル型内容物が押し込まれて排出不良が発生するという問題点があった。
【発明の概要】
【発明が解決しようとする課題】
【００１８】
本発明は、かかる問題点を解決するためになされたもので、その目的は、内容物容器の内部中央に排出案内棒を固設するが、前記排出案内棒の外周縁に多数の垂直移動通路を設け、前記内容物容器の上側に回転キャップを回転可能に結合し、前記回転キャップの中央下側に回転円筒を結合して排出案内棒の外側に設置するが、前記回転円筒の内周縁にねじ山を形成し、下部一側に入口部を設けることにより、前記回転キャップを回転させると、回転円筒が一緒に回転しながら、内容物容器の内部に収容されたカプセル型内容物が回転円筒の入口部を介してそれぞれの垂直移動通路に流入した後、回転円筒のねじ山によって垂直移動通路の上側へ移動して垂直移動通路一つにカプセル型内容物が一つずつ容易に排出されるようにする、カプセル型内容物の排出速度が向上した包装容器を提供することにある。
【００１９】
また、本発明の他の目的は、排出案内棒の外周縁に設けられた多数の垂直移動通路の下側に流入傾斜部を設けることにより、カプセル型内容物が回転円筒の入口部を介してそれぞれの垂直移動通路に容易に流入する、排出速度が向上した包装容器を提供することにある。
【００２０】
また、本発明の別の目的は、回転キャップを一周回転させると、内容物容器の内部に収容されたカプセル型内容物が、排出案内棒の外周縁に設けられた垂直移動通路の数だけ前記垂直移動通路に流入して回転円筒のねじ山に沿って順次上部へ移動するため、回転円筒を何度も回転させなくてもカプセル型内容物が速い速度で一つずつ排出されるようにしたもので、排出案内棒の外周縁に垂直移動通路を４個備えることにより、回転キャップを１周回転させると、前記回転キャップが１／４周回転するたびにカプセル型内容物が排出されるようにして使い勝手が便利になった、排出速度が向上した包装容器を提供することにある。
【課題を解決するための手段】
【００２１】
本発明は、内部にカプセル型内容物が収容される内容物容器と、
前記内容物容器の内部中央に固定結合される排出案内棒と、
前記内容物容器に回転可能に結合し、排出口が備えられた回転キャップと、
前記排出案内棒の外側に設置され、前記回転キャップの下側に固定結合され、下側に入口部が備えられた回転円筒とを含んでなり、
前記排出案内棒の外周縁には、カプセル型内容物が移動される多数の垂直移動通路が設けられ、前記回転円筒の内周縁には、カプセル型内容物を上部へ押し上げるねじ山が形成されることを特徴とする、カプセル型内容物の排出速度が向上した包装容器を提供する。
【００２２】
また、前記内容物容器の外側には容器本体が結合し、上部には容器蓋が結合することを特徴とする。
【００２３】
また、前記排出案内棒の外周縁には多数の羽根が設けられ、前記羽根同士の間には垂直移動通路が設けられることを特徴とする。
【００２４】
また、前記排出案内棒の垂直移動通路の内側は曲面形状に形成されることを特徴とする。
【００２５】
また、前記排出案内棒の垂直移動通路は１個〜８個備えられることが好ましい。
【００２６】
また、前記排出案内棒の垂直移動通路の下部には流入傾斜部が設けられることを特徴とする。
【００２７】
また、前記回転キャップの中央には、一側に排出口を有する排出カバーが設けられることを特徴とする。
【００２８】
また、前記回転キャップを１周回転させると、内容物容器の内部に収容されたカプセル型内容物が、排出案内棒の外周縁に設けられた垂直移動通路の数だけ前記垂直移動通路に流入して回転円筒のねじ山に沿って順次上部へ移動して排出されることを特徴とする。
【発明の効果】
【００２９】
本発明に係るカプセル型内容物の排出速度が向上した包装容器は、内容物容器の内部中央に排出案内棒を固設するが、前記排出案内棒の外周縁に多数の垂直移動通路を設け、前記内容物容器の上側に回転キャップを回転可能に結合し、前記回転キャップの中央下側に回転円筒を結合して排出案内棒の外側に設置するが、前記回転円筒の内周縁にねじ山を形成し、下部一側に入口部を設けることにより、前記回転キャップを回転させると、回転円筒が一緒に回転しながら、内容物容器の内部に収容されたカプセル型内容物が回転円筒の入口部を介してそれぞれの垂直移動通路に流入した後、回転円筒のねじ山に沿って垂直移動通路の上側へ移動して垂直移動通路一つにカプセル型内容物が一つずつ容易に排出されるようにするという効果がある。
【００３０】
また、本発明に係るカプセル型内容物の排出速度が向上した包装容器は、排出案内棒の外周縁に設けられた多数の垂直移動通路の下側に流入傾斜部を設けることにより、カプセル型内容物が回転円筒の入口部を介してそれぞれの垂直移動通路へ容易が流入するという効果がある。
【００３１】
また、本発明に係るカプセル型内容物の排出速度が向上した包装容器は、回転キャップを１周回転させると、内容物容器の内部に収容されたカプセル型内容物が、排出案内棒の外周縁に設けられた垂直移動通路の数だけ前記垂直移動通路に流入して回転円筒のねじ山に沿って順次上部へ移動するため、回転円筒を何度も回転させなくても、カプセル型内容物が速い速度で一つずつ排出されるようにしたもので、排出案内棒の外周縁に垂直移動通路を４個備えることにより、回転キャップが１周回転すると、前記回転キャップが１／４周回転するたびにカプセル型内容物が排出されるようにして使い勝手が便利になるという効果がある。
【図面の簡単な説明】
【００３２】
【図１】従来の包装容器を示す。
【図２】従来の食品または薬品用ディスペンサーを示す。
【図３】従来のカプセル型内容物容器を示す。
【図４】本発明の一実施形態に係る包装容器の斜視図である。
【図５】本発明の一実施形態に係る包装容器の分解斜視図である。
【図６】本発明の一実施形態に係る包装容器の断面図である。
【図７ａ】本発明の一実施形態に係る包装容器の回転円筒が回転する様子を示す平面図である。
【図７ｂ】本発明の一実施形態に係る包装容器の回転円筒が回転してカプセル型内容物が入口部を介して回転円筒の内部に流入する様子を示す平面図である。
【図８ａ】本発明の一実施形態に係る包装容器の容器蓋が分離された様子を示す断面図である。
【図８ｂ】本発明の一実施形態に係る包装容器の回転キャップと一緒に回転円筒が回転してカプセル型内容物が排出案内棒の垂直移動通路内で上部へ移動した様子を示す断面図である。
【図８ｃ】本発明の一実施形態に係る包装容器の回転キャップと一緒に回転円筒がさらに回転してカプセル型内容物が排出案内棒の垂直移動通路内でさらに上部へ移動した様子を示す断面図である。
【図９】本発明の一実施形態に係る包装容器の回転キャップの上部面へカプセル型内容物が排出された様子を示す斜視図である。
【発明を実施するための形態】
【００３３】
本発明と本発明の実施によって達成される技術的課題は、後述する好適な実施形態によって明確になるであろう。以下、添付図面を参照して、本発明に係るカプセル型内容物の排出速度が向上した包装容器の一実施形態を詳細に説明する。
【００３４】
図４は本発明の一実施形態に係る包装容器の斜視図、図５は本発明の一実施形態に係る包装容器の分解斜視図、図６は本発明の一実施形態に係る包装容器の断面図である。
【００３５】
本発明に係るカプセル型内容物の排出速度が向上した包装容器は、内部にカプセル型内容物５０が収容される内容物容器１０と、前記内容物容器１０の内部中央に固定結合される排出案内棒２０と、前記内容物容器１０に回転可能に結合し、排出口３２２が備えられた回転キャップ３０と、前記排出案内棒２０の外側に設置され、前記回転キャップ３０の下側に固定結合され、下側に入口部４４が備えられた回転円筒４０とを含んでなり、前記排出案内棒２０の外周縁には、カプセル型内容物５０が移動する多数の垂直移動通路２２が設けられ、前記回転円筒４０の内周縁には、カプセル型内容物５０を上部へ押し上げるねじ山４２が形成されることを特徴とする。
【００３６】
前記内容物容器１０の内部には内容物収容空間１２が設けられ、前記内容物収容空間１２にはカプセル型内容物５０が収容される。
【００３７】
前記内容物容器１０に収容されるカプセル型内容物５０としては、例えば、カプセル化粧品または錠剤またはガムなどが挙げられるが、前記カプセル化粧品とは、ビーズ形の薄い膜が形成された形態であって、カプセルの内部にゲル状または液状の化粧料が充填されており、薄い膜を壊して前記カプセル内部の内容物を排出させて使用する化粧品のことをいう。
【００３８】
前記内容物容器１０の上部の外周縁には、一方向にのみ回転するように構成されている歯車形状の第１ラチェットギア１４が設けられる。
【００３９】
前記内容物容器１０の外周縁には、回転キャップ３０がアンダーカット結合する第１締結突輪１５が設けられる。
【００４０】
前記第１締結突輪１５の下側には下部延長突輪１６が延設されるが、前記下部延長突輪１６の内周縁には第１装着突輪１６２が内側に延設され、 外周縁の一側には開閉溝１６４が設けられる。
【００４１】
前記内容物容器１０の内部底面は、凹面形態であり、前記底面の中央には、排出案内棒２０が固定結合される排出案内棒結合溝１７が設けられ、前記排出案内棒結合溝１７の外側には、回転円筒４０が回転可能に結合する取付溝１８が設けられる。
【００４２】
前記内容物容器１０の底面には摩擦防止部１３が形成可能であり、前記摩擦防止部１３は内容物容器１０の底面に放射状溝の形態で設けられる。
【００４３】
前記摩擦防止部１３は、内容物容器１０の底面とカプセル型内容物５０とが接触する面積を減らして前記カプセル型内容物５０が容易に流動するようにするもので、回転円筒４０の流入案内部４６が回転しながらカプセル型内容物５０を水平に移動させるとき、前記カプセル型内容物５０が内容物容器１０の底面に面接触しながら摩擦が発生することにより、前記流入案内部４６に押し潰されることを防止する。
【００４４】
前記内容物容器１０の内側には、内容物容器１０の内部を密閉させる第１密閉リング１９が設けられ得るが、前記第１密閉リング１９は内容物容器１０の内周縁に密着する。
【００４５】
すなわち、前記第１密閉リング１９は、包装容器の携帯または保管の際に、内容物容器１０の内部に収容されたカプセル型内容物５０の水分を維持させることで前記カプセル型内容物５０の乾燥を防止する。
【００４６】
前記内容物容器１０の外側には、前記内容物容器１０を包み込む容器本体６０がさらに結合することができる。
【００４７】
前記容器本体６０の上部外周縁には第２装着突輪６２が設けられ、前記内容物容器１０の第１装着突輪１６２にアンダーカット結合する。
【００４８】
前記排出案内棒２０は、内容物容器１０の内部中央に固定結合されるが、前記排出案内棒２０の下端が内容物容器１０の結合溝１７に締まり嵌めまたは螺合される。また、前記排出案内棒２０は内容物容器１０の底面中央に一体に設けられてもよい。
【００４９】
前記排出案内棒２０の外周縁には、カプセル型内容物５０が移動する多数の垂直移動通路２２が設けられ、前記排出案内棒２０の上部は回転キャップ３０の排出カバー３２の内側に位置する。
【００５０】
前記排出案内棒２０の外周縁には多数の羽根２６が外方に突設されるが、前記羽根２６同士の間には垂直移動通路２２が設けられる。
【００５１】
前記排出案内棒２０の垂直移動通路２２は１個〜８個備えられることが好ましい。前記垂直移動通路２２が８個を超過する場合、排出案内棒２０の外周縁に垂直移動通路２２があまり多く設けられて前記垂直移動通路２２の幅がカプセル型内容物５０の直径よりも小さくなり、前記カプセル型内容物５０が垂直移動通路２２に入らないという問題が発生する。
【００５２】
前記排出案内棒２０の垂直移動通路２２の内側面は曲面形状に形成される。すなわち、前記カプセル型内容物５０は、排出案内棒２０の垂直移動通路２２内で上昇するとき、垂直移動通路２２の内側面に接触しながら上昇するので、前記垂直移動通路２２の内側面を曲面形状に形成することにより、カプセル型内容物５０が押し潰されることなく容易に移動するようにしたのである。
【００５３】
前記排出案内棒２０の垂直移動通路２２の下部には流入傾斜部２８が設けられるが、前記流入傾斜部２８は、回転円筒４０の入口部４４を介して流入したカプセル型内容物５０が排出案内棒２０の垂直移動通路２２へスムーズに移動するようにする。
【００５４】
前記排出案内棒２０の上端には固定溝２４が設けられ、回転キャップ３０の固定突起３２６が挿入される。
【００５５】
前記回転キャップ３０は、内容物容器１０の上部に回転可能に結合し、前記回転キャップ３０の中央一側には、排出口３２２を有する排出カバー３２が設けられる。
【００５６】
前記排出カバー３２は、回転キャップ３０と一体に設けられるか、或いは分離されて設けられてもよい。
【００５７】
前記排出カバー３２の排出口３２２の下側には、カプセル型内容物５０が自然に排出されるように傾斜面３２４が設けられてもよい。
【００５８】
すなわち、前記排出案内棒２０の垂直移動通路２２と回転円筒４０のねじ山４２によって上部へ移動したカプセル型内容物５０が、垂直移動通路２２の上側端部から傾斜面３２４に沿って自然に転がり降りて回転キャップ３０の上部面へ排出されるのである。
【００５９】
前記排出カバー３２の内側には固定突起３２６が設けられるが、前記固定突起３２６は、排出案内棒２０の固定溝２４に挿入され、前記排出案内棒２０がいずれか一方に傾かないように中心を取る。
【００６０】
前記排出カバー３２の下部内周縁には、回転円筒４０が挿入される挿入溝３２８が設けられる。
【００６１】
前記回転キャップ３０は、上部面が凹曲面形状であり、上部面の一側には、容器蓋７０の第２密閉リング７９に密着する密閉突輪３９が設けられてもよい。
【００６２】
前記回転キャップ３０の下部には、第１下部延長突輪３４が下方に延設され、前記第１下部延長突輪３４の外側に一定の間隔で離隔して第２下部延長突輪３６が設けられ、前記第２下部延長突輪３６の外側に一定の間隔で離隔して第３下部延長突輪３８が設けられる。
【００６３】
前記第１下部延長突輪３４の内周縁には、回転円筒４０と結合する嵌合溝３４２が設けられる。
【００６４】
前記第２下部延長突輪３６と内容物容器１０との間には第１密閉リング１９が挿入されることにより、内容物容器１０の内部を密閉する。
【００６５】
前記第３下部延長突輪３８の内周縁には第２締結突輪３８５が突設され、前記内容物容器１０の第１締結突輪１５にアンダーカット結合する。
【００６６】
前記第３下部延長突輪３８の上部の外周縁には、内容物容器１０の第１ラチェットギア１４に噛み合う第２ラチェットギア３８４が設けられる。よって、前記回転キャップ３０は、内容物容器１０に対して一方向にのみ回転して逆回転が防止される。
【００６７】
併せて、前記回転キャップ３０を回転させると、回転キャップ３０の第２ラチェットギア３８４が内容物容器１０の第１ラチェットギア１４を乗り越えながら音をするため、ユーザーはカプセル型内容物５０が上がってきていることが分かる。
【００６８】
前記回転円筒４０は、回転キャップ３０の中央下側に結合すると同時に、前記排出案内棒２０の外側に設置される。
【００６９】
前記回転円筒４０は、上部が回転キャップ３０の挿入溝３２８に挿入され、下部は内容物容器１０の設置溝１８に回転可能に結合する。
【００７０】
前記回転円筒４０の上部の外周縁には嵌合突起４３が設けられて前記回転キャップ３０の嵌合溝３４２に嵌合されるが、前記嵌合突起４３は、嵌合溝３４２に嵌合されて回転キャップ３０が回転するとき、前記回転円筒４０が空転することなく前記回転キャップ３０と一緒に回転するようにする役割を果たす。
【００７１】
前記回転円筒４０の下部の一側には、カプセル型内容物５０が一つずつ流入する入口部４４が設けられるが、前記入口部４４の一側には、流入案内部４６が外方に突設される。
【００７２】
前記流入案内部４６は、入口部４４の上部に突設された上部カバー４６２と、入口部４４の一側面に突設された側面カバー４６４とから構成できる。
【００７３】
図８ａは本発明の一実施形態に係る包装容器の容器蓋が分離された様子を示す断面図、図８ｂは本発明の一実施形態に係る包装容器の回転キャップと一緒に回転円筒が回転してカプセル型内容物が排出案内棒の垂直移動通路内で上部へ移動した様子を示す断面図、図８ｃは本発明の一実施形態に係る包装容器の回転キャップと一緒に回転円筒がさらに回転してカプセル型内容物が排出案内棒の垂直移動通路内でさらに上部へ移動した様子を示す断面図である。
【００７４】
従来は、内容物容器１０の内部に収容された多数のカプセル型内容物５０が重力によって押圧されながら、入口部４４に２つ以上のカプセル型内容物５０が一緒に入ってしまう問題が時々発生した。
【００７５】
したがって、本発明に係るカプセル型内容物が一つずつ排出される包装容器は、図８ａ乃至図８ｃに示すように、入口部４４の上側に上部カバー４６２を突設して、前記入口部４４の前に位置したカプセル型内容物５０が他のカプセル型内容物５０によって押圧されることなく入口部４４に一つずつ入るようにしたのである。
【００７６】
図７ａは本発明の一実施形態に係る包装容器の回転円筒が回転する様子を示す平面図、図７ｂは本発明の一実施形態に係る包装容器の回転円筒が回転してカプセル型内容物が入口部を介して回転円筒の内部に流入する様子を示す平面図である。
【００７７】
前記流入案内部４６の側面カバー４６４は、図７ａおよび図７ｂに示すように、回転円筒４０が回転するときに一緒に回転しながら、内容物容器１０の内部に収容されたカプセル型内容物５０を水平に押し、これにより前記カプセル型内容物５０が回転円筒４０の入口部４４内に容易に押し込まれる。
【００７８】
前記回転円筒４０の内周縁にはねじ山４２が形成されるが、前記ねじ山４２は、回転円筒４０の入口部４４を介して流入したカプセル型内容物５０を排出案内棒２０の垂直移動通路２２内で垂直に移動させる。
【００７９】
すなわち、回転キャップ３０を回転させると、排出案内棒２０は内容物容器１０に固定されている一方、回転円筒４０は、前記回転キャップ３０と一緒に回転して、図８ａに示すように、カプセル型内容物５０が入口部４４を介してそれぞれの垂直移動通路２２に流入した後、図８ｂに示すように、回転円筒４０の内周縁に設けられたねじ山４２が回転しながら、それぞれの垂直移動通路２２内にあるカプセル型内容物５０を順次押し上げる。その後、図８ｃに示すように、回転キャップ３０を回転させ続けると、カプセル型内容物５０が排出案内棒２０の垂直移動通路２２を通過して排出口３２２から排出される。
【００８０】
言い換えれば、前記回転キャップ３０を１周回転させると、回転円筒４０も一緒に回転しながら、内容物容器１０の内部に収容されたカプセル型内容物５０が、排出案内棒２０の外周縁に設けられた垂直移動通路２２の数だけ前記垂直移動通路２２に流入し、回転円筒４０のねじ山４２に沿って順次上部へ移動する。これにより、ユーザーが回転キャップ３０を何度も回転させなくても、カプセル型内容物５０が速い速度で一つずつ排出される。
【００８１】
従来のカプセル型内容物の包装容器は、図３に示すように、カプセル型内容物が回転円筒のねじ山と排出案内棒の垂直移動通路に沿って回りながら一つずつ上部へ移動するため、カプセル型内容物の排出速度が低下する。
【００８２】
また、従来のカプセル型内容物の包装容器は、中央のねじ棒に設けられた螺旋溝に沿ってカプセル型内容物が排出されるので、前記螺旋溝の長さだけカプセル型内容物が移動すれば排出されるが、本発明のカプセル型内容物の包装容器は、中央の排出案内棒に設けられた垂直移動通路に沿ってカプセル型内容物が排出されるので、前記垂直移動通路の長さだけカプセル型内容物が移動すれば排出され、これにより排出移動距離が短くなる。すなわち、従来のカプセル型内容物の包装容器では、カプセル型内容物を最初に排出させるため、回転キャップを何度も回転させなければならないという不便さがあった。
【００８３】
そこで、本発明では、排出案内棒２０の外周縁に４つの垂直移動通路２２を設けることにより、回転キャップ３０を１周回転させると、前記回転キャップ３０が１／４周回転させるたびにカプセル型内容物５０が排出されるようにして、使用の利便性を向上させる。
【００８４】
前記回転キャップ３０の上部には、回転キャップ３０の排出口３２２を開閉する容器蓋７０がさらに結合できる。
【００８５】
前記容器蓋７０の内側にはリング状の密閉部材７２が結合するが、前記密閉部材７２は、容器蓋７０の下側に突設された結合部７３の外周縁にアンダーカット結合或いは螺合される。
【００８６】
前記密閉部材７２の下側には弾性材質の第２密閉リング７９が設けられるが、前記第２密閉リング７９は、容器蓋７０が閉じたとき、図６に示すように回転キャップ３０の密閉突輪３９に弾力的に密着する。
【００８７】
前記第２密閉リング７９は、弾性材質で形成されるが、天然ゴム（ｎａｔｕｒａｌ  ｒｕｂｂｅｒ）、エラストマー（ｅｌａｓｔｏｍｅｒ）、シリコーンゴム（ｓｉｌｉｃｏｎｅ  ｒｕｂｂｅｒ）およびＮＢＲ（ａｃｒｙｌｏｎｉｔｒｉｌｅ−ｂｕｔａｄｉｅｎｅ  ｒｕｂｂｅｒ）ゴムのうちの少なくとも１種以上の材質、またはＰＰ（ｐｏｌｙｐｒｏｐｙｌｅｎｅ）またはＰＥ（ｐｏｌｙｅｔｈｙｌｅｎｅ）材質で構成されることが好ましい。
【００８８】
前記容器蓋７０の下部の内周縁には開閉突起７４が設けられ、前記開閉突起は前記内容物容器１０の開閉溝１６４に結合する。
【００８９】
次に、本発明の一実施形態に係るカプセル型内容物の排出速度が向上した包装容器の組立方法を、添付図面を参照して説明する。
【００９０】
本発明のカプセル型内容物の排出速度が向上した包装容器を組み立てるためには、まず、図５および図６に示すように、内容物容器１０の内部中央に排出案内棒２０を固定結合し、前記排出案内棒２０の下端を内容物容器１０の排出案内棒結合溝１７に結合する。
【００９１】
その後、前記内容物容器１０を容器本体６０の上部から挿入しながら固定結合する。
【００９２】
次いで、前記内容物容器１０の取付溝１８に回転円筒４０を結合するが、前記回転円筒４０の内部へ排出案内棒２０が貫通するようにし、前記回転円筒４０の下端が内容物容器１０の取付溝１８に回転可能に結合する。
【００９３】
次に、前記内容物容器１０の内部にカプセル型内容物５０を充填し、内容物容器１０の上部の内周縁に第１密閉リング１９を嵌め込む。
【００９４】
その次に、前記内容物容器１０の上部に回転キャップ３０を回転可能に結合するが、前記回転キャップ３０の嵌合溝３４２に回転円筒４０の嵌合突起４３が嵌め込まれるようにし、前記内容物容器１０の第１ラチェットギア１４と回転キャップ３０の第２ラチェットギア３８４とが噛み合うようにしながら、内容物容器１０の第１締結突輪１５と回転キャップ３０の第２締結突輪３８５とがアンダーカット結合するようにする。
【００９５】
これと同時に、前記回転キャップ３０の第２下部延長突輪３６の外周縁が第１密閉リング１９に密着するようにし、回転キャップ３０の固定突起３２６が排出案内棒２０の固定溝２４に挿入されるようにする。
【００９６】
その後、容器蓋７０の結合部７３に密閉部材７２を結合し、前記密閉部材７２の下側に第２密閉リング７９を嵌め込む。
【００９７】
最後に、前記内容物容器１０の上部に容器蓋７０を結合するが、容器蓋７０の開閉突起７４が内容物容器１０の開閉溝１６４に水平に挿入されるようにすることにより、本発明に係るカプセル型内容物の排出速度が向上した包装容器の組立を完了する。
【００９８】
次に、本発明の一実施形態に係るカプセル型内容物の排出速度が向上した包装容器の使用方法を、添付図面を参照して説明する。
【００９９】
図９は本発明の一実施形態に係る包装容器の回転キャップの上部面へカプセル型内容物が排出された様子を示す斜視図である。
【０１００】
前述のように組み立てられたカプセル型内容物の排出速度が向上した包装容器を使用するためには、まず、内容物容器１０から容器蓋７０を分離させた後、一方の手では容器本体６０を掴み、他方の手で回転キャップ３０を一方向に回転させる。
【０１０１】
前記回転キャップ３０が回転すると、回転キャップ３０と一緒に回転円筒４０が回転しながら、図７ａに示すように、回転円筒４０の側面カバー４６４が、内容物容器１０の内部に収容されたカプセル型内容物５０を水平に押し、これにより、図７ｂに示すように前記カプセル型内容物５０が回転円筒４０の入口部４４を介して回転円筒４０の内部に入る。
【０１０２】
この際、前記入口部４４の上側に上部カバー４６２が突設されており、前記入口部４４の前に位置したカプセル型内容物５０が他のカプセル型内容物５０によって押圧されることなく入口部４４に一つずつ入る。
【０１０３】
また、前記内容物容器１０の底面には摩擦防止部１３が設けられているため、内容物容器１０の底面とカプセル型内容物５０とが接触する面積を減らし、これにより前記カプセル型内容物５０が内容物容器１０内で容易に流動する。
【０１０４】
その後、図８ａおよび図８ｂに示すように、回転キャップ３０を回転させ続けると、排出案内棒２０は内容物容器１０に固定されている一方、回転円筒４０は、前記回転キャップ３０と一緒に回転して、入口部４４を介して流入したカプセル型内容物５０を上部へ押し上げる。
【０１０５】
すなわち、図８ａに示すように、回転円筒４０の入口部４４を介してそれぞれの垂直移動通路２２へカプセル型内容物５０が流入した後、図８ｂに示すように、回転円筒４０の内周縁に設けられたねじ山４２が回転しながら、前記それぞれの垂直移動通路２２内に流入したカプセル型内容物５０を順次押し上げる。その後、図８ｃに示すように、回転キャップ３０を回転させ続けると、カプセル型内容物５０が排出案内棒２０の垂直移動通路２２を通過して排出口３２２から排出される。
【０１０６】
このとき、前記排出口３２２の下側には傾斜面３２４が形成されており、前記カプセル型内容物５０が垂直移動通路２２の上側端部から傾斜面３２４に沿って自然に転がり降りて、図９に示すように回転キャップ３０の上部面へ一つずつ排出される。
【０１０７】
前記カプセル型内容物５０を使用し尽くした後は、容器蓋７０を閉じて保管または携帯するが、前述のように内容物容器１０に容器蓋７０を結合すると、容器蓋７０の内側に備えられた第２密閉リング７９が回転キャップ３０の上部面の密閉突輪３９に弾力的に密着し、第１密閉リング１９が内容物容器１０の上部の内周縁と回転キャップ３０の第２下部延長突輪３６の外周縁に密着しており、内容物容器１０の内部を密閉させる。
【０１０８】
以上、本発明で説明したのは、カプセル型内容物の排出速度が向上した包装容器を実施するのための一つの実施形態に過ぎないものであり、本発明は、これらの実施形態に限定されるものではない。添付された請求の範囲で請求するように、本発明の要旨から外れることなく、当該発明の属する分野における通常の知識を有する者であれば誰でも、様々な変更実施が可能な範囲まで本発明の範囲に属すると看做されるべきである。
【符号の説明】
【０１０９】
１０    内容物容器
１３    摩擦防止部
１９    第１密閉リング
２０    排出案内棒
２２    垂直移動通路
３０    回転キャップ
３２    排出カバー
４０    回転円筒
４２    ねじ山
４４    入口部
４６    流入案内部
５０    カプセル型内容物
６０    容器本体
７０    容器蓋
７９    第２密閉リング
３２２    排出口
３２４    傾斜面
４６２    上部カバー
４６４    側面カバー
【図１】
2018058650.tif 000003
【図２】
2018058650.tif 000004
【図３】
2018058650.tif 000005
【図４】
2018058650.tif 000006
【図５】
2018058650.tif 000007
【図６】
2018058650.tif 000008
【図７ａ】
2018058650.tif 000009
【図７ｂ】
2018058650.tif 000010
【図８ａ】
2018058650.tif 000011
【図８ｂ】
2018058650.tif 000012
【図８ｃ】
2018058650.tif 000013
【図９】
2018058650.tif 000014